【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
光記録媒体に対して光照射を行う光照射部と、
上記光照射部の発光制御を行って上記光記録媒体に対する記録を行う記録部と、
上記光記録媒体の記録領域に関して、論理アドレス空間と、該論理アドレス空間に対して少なくともスペアエリアとバッファエリアとを付加した物理アドレス空間とが定義された下で、ディフェクトの発生に応じ、その発生領域を跨いだ位置から残データの記録が開始されるように上記記録部を制御すると共に、
上記バッファエリアが消費されてデータを記録し切れないとされた場合に、記録し切れない残データが上記スペアエリアに交替記録されるように上記記録部を制御する制御部と
を備える記録装置。
【請求項２】
上記制御部は、
上記光記録媒体上に設定された各記録領域について、その実データの記録開始物理アドレスの情報、実データの記録サイズの情報、及び上記ディフェクトの発生領域を跨いだ交替を行うために設定される上記バッファエリアとしてのスリッピングバッファエリアのサイズの情報を少なくとも格納したスパイラル管理情報を生成する
請求項１に記載の記録装置。
【請求項３】
上記制御部は、
上記ディフェクトの発生に応じて、実データの記録区間にプリスパイラルの記録区間と上記スリッピングバッファエリアとを加えた記録領域を上記ディフェクトの発生区間の以降に確保し、該確保した記録領域についての少なくとも上記実データの記録開始物理アドレス、上記実データの記録サイズ、及び上記スリッピングバッファエリアのサイズの情報を上記スパイラル管理情報のエントリ情報として登録する
請求項２に記載の記録装置。
【請求項４】
上記制御部は、
現在の記録位置が、現在記録中の記録領域の終端位置に対し所定距離以内に近接したか否かを判別し、
現在の記録位置が上記終端位置に対し上記所定距離以内に近接したとされた場合に、記録を停止し、上記スペアエリアへの交替記録が実行されるように制御を行う
請求項１乃至請求項３何れかに記載の記録装置。
【請求項５】
上記制御部は、
上記記録の停止に応じて、上記スパイラル管理情報で管理される記録が停止した記録領域についての実データの記録サイズの情報が、記録停止位置までの記録サイズを表すものとなるように上記スパイラル管理情報の更新を行う
請求項４に記載の記録装置。
【請求項６】
上記光記録媒体は、
データ記録に伴って上記物理アドレスが付される記録層と、位置案内子の形成に伴いプリアドレスが付された基準面とを有しており、
上記光照射部は、
上記記録層に照射されるべき記録層用レーザ光と、上記基準面に対して照射されるべき基準面用レーザ光とを共通の対物レンズを介して照射し、
上記制御部は、
実データの記録区間の手前側に対してプリスパイラルとしてのダミーデータ記録が実行されるように上記記録部を制御する
請求項４に記載の記録装置。
【請求項７】
上記制御部は、
上記スパイラル管理情報として、上記プリスパイラルの記録開始物理アドレスの情報、上記実データの記録開始物理アドレスの情報、上記実データの記録サイズの情報、及び上記スリッピングバッファエリアのサイズの情報を格納した情報を生成する
請求項６に記載の記録装置。
【請求項８】
上記制御部は、
ディフェクトの発生に応じて、実データの記録区間に上記プリスパイラルの記録区間と上記スリッピングバッファエリアとを加えた記録領域を上記ディフェクトの発生区間の以降に確保し、該確保した記録領域についての上記プリスパイラルの記録開始物理アドレス、上記実データの記録開始物理アドレス、上記実データの記録サイズ、及び上記スリッピングバッファエリアのサイズの情報を上記スパイラル管理情報のエントリ情報として登録する
請求項７に記載の記録装置。
【請求項９】
光記録媒体の記録領域に関して、論理アドレス空間と、該論理アドレス空間に対して少なくともスペアエリアとバッファエリアとを付加した物理アドレス空間とが定義された下で、ディフェクトの発生に応じ、その発生領域を跨いだ位置から残データの記録を開始すると共に、
上記バッファエリアが消費されてデータを記録し切れないとされた場合に、記録し切れない残データを上記スペアエリアに交替記録する
記録方法。
【手続補正２】
【補正対象書類名】明細書
【補正対象項目名】０３０２
【補正方法】変更
【補正の内容】
【０３０２】
また、本技術は以下に示す構成を採ることもできる。
（１）
光記録媒体に対して光照射を行う光照射部と、
上記光照射部の発光制御を行って上記光記録媒体に対する記録を行う記録部と、
上記光記録媒体の記録領域に関して、論理アドレス空間と、該論理アドレス空間に対して少なくともスペアエリアとバッファエリアとを付加した物理アドレス空間とが定義された下で、ディフェクトの発生に応じ、その発生領域を跨いだ位置から残データの記録が開始されるように上記記録部を制御すると共に、
上記バッファエリアが消費されてデータを記録し切れないとされた場合に、記録し切れない残データが上記スペアエリアに交替記録されるように上記記録部を制御する制御部と
を備える記録装置。
（２）
上記制御部は、
上記光記録媒体上に設定された各記録領域について、その実データの記録開始物理アドレスの情報、実データの記録サイズの情報、及び上記ディフェクトの発生領域を跨いだ交替を行うために設定される上記バッファエリアとしてのスリッピングバッファエリアのサイズの情報を少なくとも格納したスパイラル管理情報を生成する
上記（１）に記載の記録装置。
（３）
上記制御部は、
上記ディフェクトの発生に応じて、実データの記録区間にプリスパイラルの記録区間と上記スリッピングバッファエリアとを加えた記録領域を上記ディフェクトの発生区間の以降に確保し、該確保した記録領域についての少なくとも上記実データの記録開始物理アドレス、上記実データの記録サイズ、及び上記スリッピングバッファエリアのサイズの情報を上記スパイラル管理情報のエントリ情報として登録する
上記（２）に記載の記録装置。
（４）
上記制御部は、
現在の記録位置が、現在記録中の記録領域の終端位置に対し所定距離以内に近接したか否かを判別し、
現在の記録位置が上記終端位置に対し上記所定距離以内に近接したとされた場合に、記録を停止し、上記スペアエリアへの交替記録が実行されるように制御を行う
上記（１）乃至（３）何れかに記載の記録装置。
（５）
上記制御部は、
上記記録の停止に応じて、上記スパイラル管理情報で管理される記録が停止した記録領域についての実データの記録サイズの情報が、記録停止位置までの記録サイズを表すものとなるように上記スパイラル管理情報の更新を行う
上記（４）に記載の記録装置。
（６）
上記光記録媒体は、
データ記録に伴って上記物理アドレスが付される記録層と、位置案内子の形成に伴いプリアドレスが付された基準面とを有しており、
上記光照射部は、
上記記録層に照射されるべき記録層用レーザ光と、上記基準面に対して照射されるべき基準面用レーザ光とを共通の対物レンズを介して照射し、
上記制御部は、
実データの記録区間の手前側に対してプリスパイラルとしてのダミーデータ記録が実行されるように上記記録部を制御する
上記（４）に記載の記録装置。
（７）
上記制御部は、
上記スパイラル管理情報として、上記プリスパイラルの記録開始物理アドレスの情報、上記実データの記録開始物理アドレスの情報、上記実データの記録サイズの情報、及び上記スリッピングバッファエリアのサイズの情報を格納した情報を生成する
上記（６）に記載の記録装置。
（８）
上記制御部は、
ディフェクトの発生に応じて、実データの記録区間に上記プリスパイラルの記録区間と上記スリッピングバッファエリアとを加えた記録領域を上記ディフェクトの発生区間の以降に確保し、該確保した記録領域についての上記プリスパイラルの記録開始物理アドレス、上記実データの記録開始物理アドレス、上記実データの記録サイズ、及び上記スリッピングバッファエリアのサイズの情報を上記スパイラル管理情報のエントリ情報として登録する
上記（７）に記載の記録装置。